(57)【要約】【課題】反射ユニット及び光源を工夫することにより、小型化及び装置コストの低減を図ることができるとともに、上部光源ユニット及び下部光源ユニットの切り換え効果を発揮させることができる。【解決手段】仕切り位置ｄｐに仕切りミラー２８を備えているので、上部光源ユニット２９と下部光源ユニット３１から出射された光の照射範囲を従来に比較して明確にすることができる。したがって、光源制御部により、画像信号出力部６５から出力される画像に応じて各光源を切り換えることにより切り換え効果を好適に発揮させることができる。その結果、右眼用画像と左眼用画像が混濁して観察されるクロストークを抑制することができ、立体画像を明確に表示させることができる。【選択図】図３
2011022541.tif 000002
【特許請求の範囲】
【請求項１】
画像を表示する画像表示装置において、
画像を表示するための透過型の表示パネルと、
前記透過型の表示パネルの背面側に配置され、楕円の円弧の一部であって、平面視で中心線を挟んで対称形状の反射面を備え、楕円の一方の焦点を前記反射面側に有し、楕円の他方の焦点を観察者の両眼の間に設定されている楕円ミラーと、前記楕円ミラーの縦方向の中間位置にあたる仕切り位置に、水平姿勢で設けられた仕切りミラーとを備えた反射ユニットと、
前記透過型の表示パネルの一方の焦点側であって、前記反射面に光を照射する姿勢で前記透過型の表示パネルの背面側上部に付設され、平面視で前記反射ユニットの一方の焦点を挟んで設けられている上部第１の光源及び上部第２の光源を備えた上部光源ユニットと、前記透過型の表示パネルの一方の焦点側であって、前記反射面に光を照射する姿勢で前記透過型の表示パネルの背面側下部に付設され、平面視で前記反射ユニットの一方の焦点を挟んで設けられている下部第１の光源及び下部第２の光源を備えた下部光源ユニットとの上下一対の光源を備えている光源ユニットと、
前記透過型の表示パネルに第１の画像と第２の画像とを交互に出力する画像出力手段と、
前記画像出力手段が第１の画像から第２の画像に、第２の画像から第１の画像に順次に切り換える際に、それぞれの画像に応じて前記光源ユニットの照射を制御する光源制御手段と、
を備えていることを特徴とする画像表示装置。
【請求項２】
請求項１に記載の画像表示装置において、
前記光源制御手段は、
前記透過型の表示パネルに第１の画像が出力され、前記仕切り位置に相当する位置に第１の画像が出力される時点から、第１の画像のブランク期間の終了時点までの間に前記上部第１の光源を点灯させるとともに、第１の画像のブランク期間の終了時点までに前記上部第１の光源を消灯させ、
第１の画像に続いて前記透過型の表示パネルに第２の画像が出力され、第１の画像のブランク期間の開始時点から、仕切り位置に相当する位置に第２の画像が出力されるまでの間に前記下部第１の光源を点灯させるとともに、仕切り位置に相当する位置に第２の画像が出力されるまでに前記下部第１の光源を消灯させ、
仕切り位置に相当する位置に第２の画像が出力される時点から、第２の画像のブランク期間の終了時点までの間に前記上部第２の光源を点灯させるとともに、第２の画像のブランク期間の終了時点までに前記上部第２の光源を消灯させ、
第２の画像に続いて前記透過型の表示パネルに第１の画像が出力され、第２の画像のブランク期間の開始時点から、仕切り位置に相当する位置に第１の画像が出力されるまでの間に前記下部第２の光源を点灯させるとともに、仕切り位置に相当する位置に第１の画像が出力されるまでに前記下部第２の光源を消灯させる
ことを特徴とする画像表示装置。
【請求項３】
請求項２に記載の画像表示装置において、
前記光源制御手段は、
前記上部第１の光源を、第１の画像が仕切り位置に達した時点から所定時間だけ遅れて点灯させ、
前記下部第１の光源を、第１の画像のブランク期間の開始時点から所定時間だけ遅れて点灯させ、
前記上部第２の光源を、第２の画像が仕切り位置に達した時点から所定時間だけ遅れて点灯させ、
前記下部第２の光源を、第２の画像のブランク期間の開始時点から所定時間だけ遅れて点灯させる
ことを特徴とする画像表示装置。
【請求項４】
請求項２または３に記載の画像表示装置において、
前記光源制御手段は、
前記上部第１の光源を、第１の画像のブランク期間の終了時点までに消灯させ、
前記下部第１の光源を、仕切り位置に相当する位置に第２の画像が出力された時点までに消灯させ、
前記上部第２の光源を、第２の画像のブランク期間の終了時点までに消灯させ、
前記下部第２の光源を、仕切り位置に相当する位置に第１の画像が出力された時点までに消灯させる
ことを特徴とする画像表示装置。
【請求項５】
請求項１に記載の画像表示装置において、
前記光源制御手段は、
前記透過型の表示パネルに第１の画像が出力され、前記仕切り位置に相当する位置に第１の画像が出力される時点から所定時間だけ遅れて前記上部第１の光源を点灯させ、一定期間経過後に前記上部第１の光源を消灯させ、
第１の画像のブランク期間の開始時点から所定時間だけ遅れて前記下部第１の光源を点灯させ、一定期間経過後に前記下部第１の光源を消灯させ、
第１の画像に続いて前記透過型の液晶表示パネルに第２の画像が出力され、第２の画像が仕切り位置に相当する位置に出力される時点から所定時間だけ遅れて前記上部第２の光源を点灯させ、一定期間経過後に前記上部第２の光源を消灯させ、
第２の画像のブランク期間の開始時点から所定時間だけ遅れて前記下部第２の光源を点灯させ、一定期間経過後に前記下部第２の光源を消灯させ、
前記一定期間は、画像表示装置の所望の輝度により決定され、前記所定時間は、表示画像の上側と仕切り位置と下側における第１の画像と第２の画像の混濁が同程度になるように決定されたものである
ことを特徴とする画像表示装置。
【請求項６】
請求項１に記載の画像表示装置において、
前記画像出力手段が第１の画像と第２の画像との境界に黒帯を挿入する場合、
前記光源制御手段は、
第１の画像の前にある黒帯の始端が仕切り位置に達した時点から所定時間だけ遅れて前記上部第１の光源を点灯させ、第１の画像の後にある黒帯の終端が画面最上部に達するまでに前記上部第１の光源を消灯させ、
第１の画像の前にある黒帯の始端が前記透過型の表示パネルの下端に達した時点から所定時間だけ遅れて前記下部第１の光源を点灯させ、前記第１の画像の後にある黒帯の終端が仕切り位置に達するまでに前記下部第１の光源を消灯させ、
第２の画像の前にある黒帯の始端が仕切り位置に達した時点から所定時間だけ遅れて前記上部第２の光源を点灯させ、第２の画像の後にある黒帯の終端が画面最上部に達するまでに前記上部第２の光源を消灯させ、
第２の画像の前にある黒帯の始端が前記透過型の表示パネルの下端に達した時点から所定時間だけ遅れて前記下部第２の光源を点灯させ、前記第２の画像の後にある黒帯の終端が仕切り位置に達するまでに前記下部第２の光源を消灯させる
ことを特徴とする画像表示装置。
【請求項７】
請求項１から６のいずれかに記載の画像表示装置において、
前記反射ユニットは、前記光源ユニットからの光が通る光路空間が気中であることを特徴とする画像表示装置。
【請求項８】
請求項１から６のいずれかに記載の画像表示装置において、
前記反射ユニットは、
前記仕切り位置より上部に上部導光体を備え、前記仕切り位置より下部に下部導光体を備え、
前記楕円ミラーは、前記上部導光体と前記下部導光体の側面に被着されて構成され、
前記仕切りミラーは、少なくとも前記上部導光体の下面または前記下部導光体の上面に被着されて構成されている
ことを特徴とする画像表示装置。
【発明の詳細な説明】
【技術分野】
【０００１】
本発明は、画像を表示する画像表示装置に係り、特に楕円ミラーを用いて画像を表示する技術に関する。
【背景技術】
【０００２】
従来、この種の装置として、画像を表示する液晶表示パネルと、この液晶表示パネルの両側に配置された一対の光源と、液晶表示パネルの奥側に配置された可動式のフレネルミラーとを備えたものがある（例えば、特許文献１参照）。このような構成の装置では、例えば、右眼用画像と左眼用画像とを液晶表示パネルに交互に表示させるのと同期して、可動式のフレネルミラーの反射方向を交互に切り換えることにより、左右の両眼に向けて画像を振り分ける。これにより、観察者は、両眼視差を利用した立体画像を見ることができるようになっている。
【先行技術文献】
【特許文献】
【０００３】
【特許文献１】特開２０００−１４７６６９号公報（図１〜図３）
【発明の概要】
【発明が解決しようとする課題】
【０００４】
しかしながら、このような構成を有する従来例の場合には、次のような問題がある。
すなわち、従来の装置は、画像を左右に振り分けるために可動式のフレネルミラーを動作させる機構が必要になり、装置が複雑化して装置コストが高くなるという問題がある。
【０００５】
そこで、上記の問題を解決するために、出射方向からみて短冊状を呈する右眼用楕円ミラーと左眼用楕円ミラーとを面同士で交互に積層して構成された反射ユニットと、この反射ユニットの左右側面に右眼用光源と左眼用光源とを備えたものが本出願人により提案されている（特願２００７−３０７１８号参照）。
【０００６】
但し、この提案装置では、可動部をなくすことができ、上述した従来技術に比較して構成を単純化することができるものの、反射ユニットの左右両側面に光源を配置する必要があるので、装置全体が横方向に大きくなるという問題がある。特に、最近では、液晶表示パネルが横長（いわゆるワイド液晶）であることが一般的であるので、上記の提案装置では装置全体が極端に横長になってフットプリントが大きくなるという問題がある。また、複数枚の楕円ミラーを積層しているので、装置の重量がかさむとともに、やはり構造が複雑化するという問題がある。
【０００７】
上記の問題を解決するものとして、本出願人により、平面視で左右対称の形状を呈する楕円ミラーを用いた装置が提案されている（特願２００９−００７４４３号参照）。この提案装置は、透過型の液晶表示パネルと、楕円の弦側に透過型の液晶表示パネルと一方の焦点を有し、一方の焦点を挟んだ平面視で左右対称の楕円ミラーと、楕円ミラーの弦側であって、一方の焦点を挟んで設けられた左右一対の光源を、上部光源ユニットと下部光源ユニットとして備えた光源ユニットとを備えている。
【０００８】
このような構成によると、光源を液晶表示パネル側に配置することができて装置の小型化を図ることができる。その一方、上部光源ユニットと下部光源ユニットから出射され、楕円ミラーで反射した光は、それぞれの光源ユニットからの出射角度に応じて液晶表示パネルの任意の位置を透過する。したがって、上部光源ユニット及び下部光源ユニットの照射範囲が明確でなく、画像に応じて光源ユニットを切り換えても、光源ユニットの切り換え効果が発揮できないという問題がある。なお、光源ユニットの切り換え効果が発揮されると、例えば、右眼用画像と左眼用画像を切り替え表示する場合に、クロストークを悪化させることなく高輝度化が可能となり、立体画像を鮮明に表示させることができる。
【０００９】
本発明は、このような事情に鑑みてなされたものであって、反射ユニット及び光源を工夫することにより、小型化及び装置コストの低減を図ることができるとともに、上部光源ユニット及び下部光源ユニットの切り換え効果を発揮させることができる画像表示装置を提供することを目的とする。
【課題を解決するための手段】
【００１０】
本発明は、このような目的を達成するために、次のような構成をとる。
すなわち、請求項１に記載の発明は、画像を表示する画像表示装置において、
画像を表示するための透過型の表示パネルと、
前記透過型の表示パネルの背面側に配置され、楕円の円弧の一部であって、平面視で中心線を挟んで対称形状の反射面を備え、楕円の一方の焦点を前記反射面側に有し、楕円の他方の焦点を観察者の両眼の間に設定されている楕円ミラーと、前記楕円ミラーの縦方向の中間位置にあたる仕切り位置に、水平姿勢で設けられた仕切りミラーとを備えた反射ユニットと、
前記透過型の表示パネルの一方の焦点側であって、前記反射面に光を照射する姿勢で前記透過型の表示パネルの背面側上部に付設され、平面視で前記反射ユニットの一方の焦点を挟んで設けられている上部第１の光源及び上部第２の光源を備えた上部光源ユニットと、前記透過型の表示パネルの一方の焦点側であって、前記反射面に光を照射する姿勢で前記透過型の表示パネルの背面側下部に付設され、平面視で前記反射ユニットの一方の焦点を挟んで設けられている下部第１の光源及び下部第２の光源を備えた下部光源ユニットとの上下一対の光源を備えている光源ユニットと、
前記透過型の表示パネルに第１の画像と第２の画像とを交互に出力する画像出力手段と、
前記画像出力手段が第１の画像から第２の画像に、第２の画像から第１の画像に順次に切り換える際に、それぞれの画像に応じて前記光源ユニットの照射を制御する光源制御手段と、
を備えているものである。
【００１１】
［作用・効果］請求項１に記載の発明によれば、一方の焦点を反射面側に有し、他方の焦点を観察者の両眼の間に設定されている楕円ミラーを備えた反射ユニットと透過型の表示パネルとの間に上下一対の光源を備えた光源ユニットを配置しているので、横幅を抑制することができる。その上、楕円ミラーは固定式であり、しかも平面視で対称形状の反射面を採用しているので、各々の光源で共通の楕円ミラーを利用することができる。したがって、小型化及び装置コストの低減を図ることができる。
【００１２】
また、仕切り位置に仕切りミラーを備えているので、光源ユニットの上部光源ユニット（上部第１の光源及び上部第２の光源）と下部光源ユニット（下部第１の光源及び下部第２の光源）から出射された光の照射範囲を従来に比較して明確にすることができる。したがって、光源制御手段により、画像出力手段から出力される画像に応じて各光源を切り換えることにより、光源ユニットの切り換え効果を発揮させることができる。その結果、第１の画像と第２の画像が混濁して観察されることを抑制することができ、それぞれの画像を明確に表示させることができる。
【００１３】
なお、上述した中間位置にあたる仕切り位置とは、楕円ミラーの高さ寸法を二分の一にした高さ位置であるとは限らず、その高さ位置から多少上下した位置であってもよい。
【００１４】
また、本発明において、前記光源制御手段は、
前記透過型の表示パネルに第１の画像が出力され、前記仕切り位置に相当する位置に第１の画像が出力される時点から、第１の画像のブランク期間の終了時点までの間に前記上部第１の光源を点灯させるとともに、第１の画像のブランク期間の終了時点までに前記上部第１の光源を消灯させ、
第１の画像に続いて前記透過型の表示パネルに第２の画像が出力され、第１の画像のブランク期間の開始時点から、仕切り位置に相当する位置に第２の画像が出力されるまでの間に前記下部第１の光源を点灯させるとともに、仕切り位置に相当する位置に第２の画像が出力されるまでに前記下部第１の光源を消灯させ、
仕切り位置に相当する位置に第２の画像が出力される時点から、第２の画像のブランク期間の終了時点までの間に前記上部第２の光源を点灯させるとともに、第２の画像のブランク期間の終了時点までに前記上部第２の光源を消灯させ、
第２の画像に続いて前記透過型の表示パネルに第１の画像が出力され、第２の画像のブランク期間の開始時点から、仕切り位置に相当する位置に第１の画像が出力されるまでの間に前記下部第２の光源を点灯させるとともに、仕切り位置に相当する位置に第１の画像が出力されるまでに前記下部第２の光源を消灯させる
ことが好ましい（請求項２）。
【００１５】
仕切り位置に相当する位置に画像（第１の画像または第２の画像）が出力される時点から、その画像のブランク期間の終了時点までの間に上部光源ユニット（上部第１の光源または上部第２の光源）を点灯させるとともに、その画像のブランク期間の終了時点までに上部光源ユニット（上部第１の光源または上部第２の光源）を消灯させる。したがって、第１の画像を上部第１の光源で効率的に照射させることができ、第２の画像を上部第２の光源で効率的に照射させることができる。また、画像（第１の画像または第２の画像）のブランク期間の開始時点から、仕切り位置に相当する位置に、その画像に続く画像（第２の画像または第１の画像）が出力されるまでの間に下部光源ユニット（下部第１の光源または下部第２の光源）を点灯させるとともに、仕切り位置に相当する位置に、その画像に続く画像（第２の画像または第１の画像）が出力されるまでに下部光源ユニット（下部第１の光源または下部第２の光源）を消灯させるので、第１の画像を下部第１の光源で効率的に照射させることができ、第２の画像を下部第２の光源で効率的に照射させることができる。したがって、上部光源ユニット及び下部光源ユニットの切り換え効果を発揮させることができる。
【００１６】
また、本発明において、前記光源制御手段は、
前記上部第１の光源を、第１の画像が仕切り位置に達した時点から所定時間だけ遅れて点灯させ、
前記下部第１の光源を、第１の画像のブランク期間の開始時点から所定時間だけ遅れて点灯させ、
前記上部第２の光源を、第２の画像が仕切り位置に達した時点から所定時間だけ遅れて点灯させ、
前記下部第２の光源を、第２の画像のブランク期間の開始時点から所定時間だけ遅れて点灯させることが好ましい（請求項３）。
【００１７】
表示パネルには画像信号が与えられても、画素が応答するのに時間を要するので、応答時間だけ遅れて実際に画像が形成されることになる。この応答時間を所定時間により考慮することにより、未完成の画像が照射されて観察者に認識されるのを抑制することができる。したがって、第１の画像と第２の画像を鮮明に観察者に認識させることができる。
【００１８】
なお、所定時間は応答時間と一致させる場合や、応答時間にさらに時間を付加する場合などがある。
【００１９】
また、本発明において、前記光源制御手段は、
前記上部第１の光源を、第１の画像のブランク期間の終了時点までに消灯させ、
前記下部第１の光源を、仕切り位置に相当する位置に第２の画像が出力された時点までに消灯させ、
前記上部第２の光源を、第２の画像のブランク期間の終了時点までに消灯させ、
前記下部第２の光源を、仕切り位置に相当する位置に第１の画像が出力された時点までに消灯させることが好ましい（請求項４）。
【００２０】
上部第１の光源を、第１の画像のブランク期間の終了時点までに消灯させ、また、下部第１の光源を、仕切り位置に相当する位置に第２の画像が出力された時点までに消灯させるので、第１の画像に続いて上部から出力されてくる第２の画像が観察者に認識されるのを防止することができる。また、上部第２の光源を、第２の画像のブランク期間の終了時点までに消灯させ、下部第２の光源を、仕切り位置に相当する位置に第１の画像が出力された時点までに消灯させるので、第２の画像に続いて上部から出力されてくる第１の画像が観察者に認識されるのを防止することができる。したがって、第１の画像を上部第１の光源及び下部第１の光源で好適に照射させることができ、第２の画像を上部第２の光源及び下部第２の光源で好適に照射させることができ、第１の画像と第２の画像が同時に観察者に認識されるのを抑制できる。
【００２１】
また、本発明において、前記光源制御手段は、
前記透過型の表示パネルに第１の画像が出力され、前記仕切り位置に相当する位置に第１の画像が出力される時点から所定時間だけ遅れて前記上部第１の光源を点灯させ、一定期間経過後に前記上部第１の光源を消灯させ、
第１の画像のブランク期間の開始時点から所定時間だけ遅れて前記下部第１の光源を点灯させ、一定期間経過後に前記下部第１の光源を消灯させ、
第１の画像に続いて前記透過型の液晶表示パネルに第２の画像が出力され、第２の画像が仕切り位置に相当する位置に出力される時点から所定時間だけ遅れて前記上部第２の光源を点灯させ、一定期間経過後に前記上部第２の光源を消灯させ、
第２の画像のブランク期間の開始時点から所定時間だけ遅れて前記下部第２の光源を点灯させ、一定期間経過後に前記下部第２の光源を消灯させ、
前記一定期間は、画像表示装置の所望の輝度により決定され、前記所定時間は、表示画像の上側と仕切り位置と下側における第１の画像と第２の画像の混濁が同程度になるように決定されたものであることが好ましい（請求項５）。
【００２２】
表示パネルの応答時間が遅い場合には、実際に画像の書き換えが完了するタイミングが遅れるので、点灯までの時間が短い仕切り位置の上側及び表示パネルの下端において、第１の画像と第２の画像の混濁が大きくなり得るとともに、点灯までの時間が長い表示パネルの上端及び仕切り位置の下側において、第１の画像と第２の画像の混濁が小さくなり得る。そのため、第１の画像と第２の画像の混濁が表示パネルで不均一になり、得る。そこで、所定時間だけ遅れたタイミングで点灯させ、一定期間後に消灯させる光源制御を行わせると、所望の輝度を維持させつつも、表示パネルの上端及び仕切り位置の下側では第１の画像と第２の画像の混濁が大きくなり得るが、点灯までの時間を稼ぐことができるので、仕切り位置の上側及び表示パネルの下端では第１の画像と第２の画像の混濁が小さくなり得る。したがって、表示パネルの全体における混濁が平均化されて観察されるので、観察者から見た混濁を均一にできる。
【００２３】
なお、上記の混濁とは、表示パネルの応答時間に起因して、表示パネルに第１の画像と第２の画像が混ざって表示されている状態をいう。
【００２４】
また、本発明において前記画像出力手段が第１の画像と第２の画像との境界に黒帯を挿入する場合、
前記光源制御手段は、
第１の画像の前にある黒帯の始端が仕切り位置に達した時点から所定時間だけ遅れて前記上部第１の光源を点灯させ、第１の画像の後にある黒帯の終端が画面最上部に達するまでに前記上部第１の光源を消灯させ、
第１の画像の前にある黒帯の始端が前記透過型の表示パネルの下端に達した時点から所定時間だけ遅れて前記下部第１の光源を点灯させ、前記第１の画像の後にある黒帯の終端が仕切り位置に達するまでに前記下部第１の光源を消灯させ、
第２の画像の前にある黒帯の始端が仕切り位置に達した時点から所定時間だけ遅れて前記上部第２の光源を点灯させ、第２の画像の後にある黒帯の終端が画面最上部に達するまでに前記上部第２の光源を消灯させ、
第２の画像の前にある黒帯の始端が前記透過型の表示パネルの下端に達した時点から所定時間だけ遅れて前記下部第２の光源を点灯させ、前記第２の画像の後にある黒帯の終端が仕切り位置に達するまでに前記下部第２の光源を消灯させることが好ましい（請求項６）。
【００２５】
画像出力手段が第１の画像と第２の画像との間に黒帯を挿入する場合には、黒帯の始端が仕切り位置に達した時点を基準にして上部の光源（上部第１の光源または上部第２の光源）を点灯させ、次の黒帯の終端が画面最上部に達するまでに上部の光源（上部第１の光源または上部第２の光源）を消灯させる。また、黒帯の始端が液晶表示パネルの下端に達した時点を基準にして下部の光源（下部第１の光源または下部第２の光源）を点灯させ、次の黒帯の終端が仕切り位置に達するまでに下部の光源（下部第１の光源または下部第２の光源）を消灯させる。したがって、少なくとも黒帯の幅分は早めに光源を点灯しても他方の画像に影響を与えることがないので、光源の点灯時間を稼ぐことができ、点灯制御を容易に行うことができる。
【００２６】
また、本発明において、前記反射ユニットは、前記光源ユニットからの光が通る光路空間が気中であることが好ましい（請求項７）。
【００２７】
反射ユニット内の空間を気中で構成しているので、反射ユニットを軽量化することができ、装置を軽量化することができる。
【００２８】
また、本発明において、前記反射ユニットは、
前記仕切り位置より上部に上部導光体を備え、前記仕切り位置より下部に下部導光体を備え、
前記楕円ミラーは、前記上部導光体と前記下部導光体の側面に被着されて構成され、
前記仕切りミラーは、少なくとも前記上部導光体の下面または前記下部導光体の上面に被着されて構成されていることが好ましい（請求項８）。
【００２９】
上部導光体と下部導光体の二分割で反射ユニットを構成し、少なくとも上部導光体の下面または下部導光体の上面に仕切りミラーを被着し、側面に楕円ミラーを被着しているので、反射面が上部導光体及び下部導光体で保護される。したがって、反射面の反射率が低下するなどの経時劣化を防止できる。
【発明の効果】
【００３０】
本発明に係る画像表示装置によれば、一方の焦点を反射面側に有し、他方の焦点を観察者の両眼の間に設定されている楕円ミラーを備えた反射ユニットと透過型の表示パネルとの間に一対の光源を備えた光源ユニットを配置しているので、横幅を抑制することができる。その上、楕円ミラーは固定式であり、しかも平面視で対称形状の反射面を採用しているので、各々の光源で共通の楕円ミラーを利用することができる。したがって、小型化及び装置コストの低減を図ることができる。
【００３１】
また、仕切り位置に仕切りミラーを備えているので、光源ユニットの上部光源ユニットと下部光源ユニットから出射された光の照射範囲を従来に比較して明確にすることができる。したがって、光源制御手段により、画像出力手段から出力される画像に応じて光源を切り換えることにより、光源ユニットの切り換え効果を発揮させることができる。その結果、第１の画像と第２の画像が混濁して観察されることを抑制することができる。
【図面の簡単な説明】
【００３２】
【図１】実施例に係る立体画像表示装置の概略構成を示す横断面図である。
【図２】楕円ミラーを構成する楕円を説明するための模式図である。
【図３】実施例に係る立体画像表示装置の概略構成を示す縦断面図である。
【図４】実施例に係る立体画像表示装置を楕円ミラー側から見た図である。
【図５】立体画像表示装置の制御系に係るブロック図である。
【図６】（ａ）、（ｂ）は光源ユニットの制御例１を示し、背面から見た状態を示す模式図である。
【図７】光源ユニットの制御例２を示し、画像の遷移と光源の切り換えタイミングを示すタイムチャートである。
【図８】画像の間に黒帯を出力する場合における光源ユニットの制御例３を示し、画像の遷移と光源の切り換えタイミングを示すタイムチャートである。
【図９】光源ユニットの制御例４を示し、ＦＰ１がその１を示し、ＦＰ２がその２を示すタイムチャートである。
【図１０】クロストークの均一性の説明に供する模式図である。
【図１１】反射ユニットの第１の変形例を示す横断面図である。
【図１２】反射ユニットの好適な構成例を示す分解斜視図である。
【図１３】反射ユニットの第２の変形例を示す横断面図である。
【発明を実施するための形態】
【００３３】
以下、図面を参照して本発明の一実施例について説明する。
なお、以下の説明では、画像表示装置として「立体画像表示装置」を例に採って説明する。
【００３４】
図１は実施例に係る立体画像表示装置の概略構成を示す横断面図であり、図２は楕円ミラーを構成する楕円を説明するための模式図であり、図３は実施例に係る立体画像表示装置の概略構成を示す縦断面図であり、図４は実施例に係る立体画像表示装置を楕円ミラー側から見た図である。なお、図２及び図３では、説明の都合上、筐体の図示を省略してある。
【００３５】
本実施例に係る立体画像表示装置１は、横断面がコの字状を呈する筐体３を備えている。この筐体３の前面には、透過型の液晶表示パネル５がフロントベゼルを含む支持枠７を介して取り付けられている。透過型の液晶表示パネル５の奥側には、スペーサ９を介して拡散部材１１が取り付けられている。この拡散部材１１は、光を縦方向（図１における紙面方向）に拡散させる機能を備えている。スペーサ９の奥側に位置する支持枠７の上下には、それぞれ取り付け枠１３が取り付けられている。
【００３６】
上記の拡散部材１１を備えているので、後述する楕円ミラー１５と上側反射板２３及び下側反射板２５と仕切りミラー２６の接合部付近に存在する横方向の境目などが透過型の液晶表示パネル５に映るのを抑制することができる。
【００３７】
取り付け枠１３の後方（図１の下方）には、楕円ミラー１５を備えた反射ユニット１７が取り付けられている。楕円ミラー１５は、凹状面が反射面１９とされている。この楕円ミラー１５について図２を参照する。
【００３８】
楕円ミラー１５は、図２に示すように、楕円２１の円弧の一部で構成されている。楕円２１は、中心ｃと、長軸ａと短軸ｂとからなる。また、長軸ａと中心線とは一致しているので、楕円ミラー１５は中心線を挟んで左右対称の形状となる。楕円２１の一方の焦点ｆ１は、反射面１９側、換言すると、楕円ミラー１５を構成する楕円２１の一部の弦付近に設定されている。楕円２１の他方の焦点ｆ２は、観察者の右眼ＥＲと左眼ＥＬとの間（眉間付近）に設定されている。
【００３９】
反射ユニット１７は、楕円ミラー１５の上縁側に上側反射板２３を備え、楕円ミラー１５の下縁側に下側反射板２５を備えている。上側反射板２３及び下側反射板２５は、ともに楕円ミラー１５の反射面１９から、楕円ミラー１５の楕円２１の円弧の一部における弦に相当する位置までを覆う板状を呈している。なお、図１及び図２では、図示の関係上、上側反射板２３を省略してある。これらにより囲われている光路空間２７には、光学材料等は充填されておらず空気中となっている。また、反射ユニット１７は、仕切りミラー２８を備えている。仕切りミラー２８は、楕円ミラー１５の高さＬｍの半分の高さの中間位置にあたる仕切り位置ｄｐに水平姿勢で取り付けられている。仕切りミラー２８自体は、楕円ミラー１５と同様の反射面が上下の両面に形成され、図１に示すように、外観が平面視で半月状を呈している。仕切りミラー２８は、その弦側の端面が、透過型の液晶表示パネル５と所定のギャップｇｐをおいて取り付けられている。ギャップｇｐは、数ミリ程度であり、ギャップｇｐは仕切りミラー２８の弦側の端面が、後述する上部光源ユニット２９と下部光源ユニット３１の発光面より液晶表示パネル５側に位置するように設定することにより、それぞれの光源の光が仕切りミラー２８で仕切られた、光源が存在する空間とは反対側の空間に直接入光することを防止し、またギャップｇｐがあることにより、透過型の液晶表示パネル５に仕切りミラー２８の弦側端面の影が映ることを防止できる。
【００４０】
反射ユニット１７の一方の焦点ｆ１側にある上側の取り付け枠１３には上部光源ユニット２９が取り付けられ、下側の取り付け枠１３には下部光源ユニット３１が取り付けられている。つまり、上下一対の光源ユニット２９，３１を備えている。上部光源ユニット２９は、平面視で一方の焦点ｆ１を挟んで配置された右眼用光源３３と左眼用光源３５からなる一対の光源を備えている。下部光源ユニット３１は、平面視で一方の焦点ｆ１を挟んで配置された右眼用光源３７と左眼用光源３９からなる一対の光源を備えている。全ての光源、つまり、右眼用光源３３と、左眼用光源３５と、右眼用光源３７と、左眼用光源３９とは、反射面１９に向けて光を照射可能な姿勢で取り付け枠１３に取り付けられている。具体的には、各光源３３，３５，３７，３９の出光面が反射面１９に向けられている。
【００４１】
上部光源ユニット２９は、右眼用光源３３と左眼用光源３５との間に上部遮光部材４１が取り付けられている。同様に、下部光源ユニット３１は、右眼用光源３７と左眼用光源３９との間に下部遮光部材４３が取り付けられている。上部遮光部材４１及び下部遮光部材４３は、光を透過しない部材で構成されている。また、各光源３３，３５，３７，３９は、出光面側に拡散部材４５を備えている。この拡散部材４５は、周囲に均等に光を拡散する特性を有するものが好ましい。
【００４２】
上記の拡散部材４５を備えているので、上部光源ユニット２９と下部光源ユニット３１の発光形状が透過型の液晶表示パネル５に映るのを抑制することができる。
【００４３】
なお、上述した右眼用光源３３が本発明における「上部第１の光源」に相当し、左眼用光源３５が「上部第２の光源」に相当する。また、右眼用光源３７が本発明における「下部第１の光源」に相当し、左眼用光源３９が本発明における「下部第２の光源」に相当する。また、上部光源ユニット２９と下部光源ユニット３１とが本発明における「光源ユニット」に相当する。
【００４４】
＜制御例１＞
次に、図５及び図６を参照する。なお、図５は立体画像表示装置の制御系に係るブロック図であり、図６（ａ）及び図６（ｂ）は光源ユニットの制御例１を示し、背面から見た状態を示す模式図である。
【００４５】
制御部６３は、映像信号ＶＤを受け取るとともに、両眼視差を有する右眼用画像と左眼用画像とを透過型の液晶表示パネル５に対して交互に出力する画像信号出力部６５と、画像信号出力部６５が右眼用画像と左眼用画像とを順次に切り換える際に、垂直同期信号ＶＳに基づき、画像に応じて上部光源ユニット２９と下部光源ユニット３１の点灯を制御する光源制御部６７とを備えている。
【００４６】
なお、画像信号出力部６５が本発明における「画像出力手段」に相当し、光源制御部６７が本発明における「光源制御手段」に相当する。また、右眼用画像が本発明における「第１の画像」に相当し、左眼用画像が本発明における「第２の画像」に相当する。
【００４７】
光源制御部６７は、画像信号出力部６５が右眼用画像と左眼用画像とを透過型の液晶表示パネル５に出力する際に、上部光源ユニット２９及び下部光源ユニット３１における右眼用光源３３，３７と左眼用光源３５，３９とを切り換えて点灯させる。具体的には、図６（ａ）に示すように、透過型の液晶表示パネル５に右眼用画像が表示されている場合には、右眼用光源３３，３７を点灯させる。また、図６（ｂ）に示すように、左眼用画像が表示されている場合には、左眼用光源３５，３９を点灯させる。
【００４８】
なお、透過型の液晶表示パネル５は、右眼用画像から左眼用画像へ瞬時に書き換えられるものではなく、あるタイミングでは右眼用画像と左眼用画像とが混濁した状態が存在する。例えば、上半分が左眼用画像であり、下半分が右眼用画像となっているような状態がある。そのような場合には、上述したように右眼用光源３３，３５と左眼用光源３７，３９を一度に切り換えるのではなく、まず右眼用光源３７を点灯させたまま右眼用光源３３だけを消灯し、左眼用光源３９を消灯させたまま左眼用光源３５だけを点灯させた状態を経て左眼用光源３５，３９をともに点灯させるように光源制御部６７が各光源を操作するようにしてもよい。これにより、右眼用画像と左眼用画像とが同時に観察者に認識されて立体画像が不鮮明となるのを防止することができる。
【００４９】
上述したように、本実施例によると、一方の焦点ｆ１を反射面１９側に有し、楕円ミラー１５を備えた反射ユニット１７と透過型の液晶表示パネル５との間に一対の光源３３，３５，３７，３９を備えた上部光源ユニット２９及び下部光源ユニット３１を上下一対で配置しているので、装置の横幅を抑制できる。その上、楕円ミラー１５は固定式であり、しかも平面視で対称形状の反射面１９を採用しているので、各々の光源で共通の楕円ミラー１５を利用することができる。したがって、小型化及び装置コストの低減を図った立体画像表示装置を実現することができる。
【００５０】
また、光源として上部光源ユニット２９及び下部光源ユニット３１の二つを備えているので、透過型の液晶表示パネル５に表示される画像の輝度を高くすることができる。さらに、上部遮光部材４１及び下部遮光部材４３を備えているので、右眼用光源３３，３７と左眼用光源３５，３９の一方側から出射される光が他方側に出射されるのを抑制することができる。したがって、右眼用画像と左眼用画像を透過型の液晶表示パネル５に明瞭に表示させることができる。
【００５１】
さらに、仕切り位置ｄｐに仕切りミラー２８を備えているので、上部光源ユニット２９を構成している右眼用光源３３及び左眼用光源３５と、下部光源ユニット３１を構成している右眼用光源３７及び左眼用光源３９とから出射された光の照射範囲を従来に比較して明確にすることができる。したがって、光源制御部６７により、画像信号出力部６５から出力される画像に応じて各光源３３，３５，３７，３９を切り換えることにより切り換え効果を好適に発揮させることができる。その結果、右眼用画像と左眼用画像が混濁して観察されるクロストークを抑制することができ、立体画像を明確に表示させることができる。
【００５２】
＜制御例２＞
次に、図７を参照して、上記の制御とは異なる制御例について詳細に説明する。なお、図７は、光源ユニットの制御例２を示し、画像の遷移と光源の切り換えタイミングを示すタイムチャートである。
【００５３】
なお、以下の説明においては、左眼用画像が透過型の液晶表示パネル５の全面に出力された状態から、次の画像である右眼用画像が、透過型の液晶表示パネル５の上端から下端に向かって出力され、それが順次繰り返される場合を例にとって説明する。また、図中におけるＶＢＬＡＮＫはブランク期間を表し、符号Ｔ１は書き換え期間（例えば、１２０Ｈｚ（８．３３ｍｓｅｃ））を示す。
【００５４】
透過型の液晶表示パネル５にｔ１時点で右眼用画像が出力され始め、仕切り位置ｄｐに相当する位置に右眼用画像が出力されるｔ２時点から、右眼用画像のブランク期間ＶＢＬＡＮＫの開始時点ｔ４までの間に、光源制御部６７は上部光源ユニット２９の右眼用光源３３を点灯させるとともに、光源制御部６７は右眼用画像のブランク期間ＶＢＬＡＮＫの終了時点ｔ５までに右眼用光源３３を消灯させる。
【００５５】
より好ましくは、仕切り位置ｄｐに相当する位置に右眼用画像が出力されたｔ２時点から、透過型の液晶表示パネル５の応答時間ｒｔだけ遅れたｔ３時点で右眼用光源３３を点灯させ、ブランク期間ＶＢＬＡＮＫの終了時点ｔ５で右眼用光源３３を消灯させる。なお、応答時間ｒｔは、本発明における「所定時間」に相当し、例えば、３〜１０ｍｓｅｃであり、透過型の液晶表示パネル５の種類によって異なる。この応答時間ｒｔは、透過型の液晶表示パネル５の個々の液晶セルに映像信号が入力されてから応答し、液晶セルが実際に書き換わり完了するまでの時間である。したがって、応答時間ｒｔにさらに余裕を持たせるための余裕時間を付加して、それを所定時間とし、この時間だけ遅れて点灯させるようにしてもよい。
【００５６】
次に、右眼用画像に続いて透過型の液晶表示パネル５に左眼用画像が出力され、右眼用画像のブランク期間ＶＢＬＡＮＫの開始時点ｔ４から、仕切り位置ｄｐに相当する位置に左眼用画像が出力されるまでの間に、下部光源ユニット２９の右眼用光源３７を点灯させるとともに、仕切り位置ｄｐに相当する位置に左眼用画像が出力されるｔ７時点までに右眼用光源３７を消灯させる。
【００５７】
詳細には、右眼用画像のブランク期間ＶＢＬＡＮＫの開始時点ｔ４から応答時間ｒｔだけ遅れたｔ６時点で右眼用光源３７を点灯させ、左眼用画像が仕切り位置ｄｐに達した時点ｔ７で右眼用光源３７を消灯させる。
【００５８】
次に、仕切り位置ｄｐに相当する位置に左眼用画像が出力される時点ｔ７から、左眼用画像のブランク期間ＶＢＬＡＮＫの終了時点ｔ１０までの間に左眼用光源３５を点灯させるとともに、左眼用画像のブランク期間ＶＢＬＡＮＫの終了時点ｔ１０までに左眼用光源３５を消灯させる。
【００５９】
好ましくは、左眼用画像が仕切り位置ｄｐに達した時点ｔ７から応答時間ｒｔだけ遅れた時点ｔ８で左眼用光源３５を点灯させるとともに、左眼用画像のブランク期間ＶＢＬＡＮＫの終了時点ｔ１０で左眼用光源３５を消灯させる。
【００６０】
次に、左眼用画像に続いて透過型の液晶表示パネル５に右眼用画像が出力され、左眼用画像のブランク期間ＶＢＬＡＮＫの開始時点ｔ９から、仕切り位置ｄｐに相当する位置に右眼用画像が出力されるｔ１２時点までの間に左眼用光源３９を点灯させるとともに、仕切り位置ｄｐに相当する位置に左眼用画像が出力されるｔ１２時点までに左眼用光源３９を消灯させる。
【００６１】
より好ましくは、左眼用画像のブランク期間ＶＢＬＡＮＫの開始時点ｔ９から応答時間ｒｔだけ遅れたｔ１１時点で左眼用光源３９を点灯させるとともに、仕切り位置ｄｐに右眼用画像が出力された時点ｔ１２で左眼用光源３９を消灯させる。
【００６２】
上述したように制御することにより、仕切り位置ｄｐに相当する位置に画像（右眼用画像または左眼用画像）が出力される時点ｔ２（または時点ｔ７）から、その画像のブランク期間ＶＢＬＡＮＫの終了時点ｔ５（または終了時点ｔ１０）までの間に上部光源ユニット２９（右眼用光源３３または左眼用光源３５）を点灯させるとともに、その画像のブランク期間の終了時点ｔ５（また終了時点ｔ１０）までに上部光源ユニット２９（右眼用光源３３または左眼用光源３５）を消灯させる。したがって、右眼用画像を右眼用画像３３で効率的に照射させることができ、左眼用画像を左眼用画像３５で効率的に照射させることができる。また、画像（右眼用画像または左眼用画像）のブランク期間ＶＢＬＡＮＫの開始時点ｔ４（または開始時点ｔ９）から、仕切り位置ｄｐに相当する位置に、その画像に続く画像（左眼用画像または右眼用画像）が出力されるまでの間に下部光源ユニット３１（右眼用光源３７または左眼用光源３９）を点灯させるとともに、仕切り位置ｄｐに相当する位置に、その画像に続く画像（左眼用画像または右眼用画像）が出力されるまでに下部光源ユニット３１（右眼用光源３７または左眼用光源３９）を消灯させるので、右眼用画像を右眼用光源３７で効率的に照射させることができ、左眼用画像を左眼用光源３９で効率的に照射させることができる。したがって、仕切りミラー２８の効果も相まって、上部光源ユニット２９及び下部光源ユニット３１の切り換え効果を好適に発揮させることができる。
【００６３】
また、透過型の液晶表示パネル５には映像信号ＶＤが与えられても、液晶が応答するのに時間を要するので、応答時間ｒｔだけ遅れて実際に画像が形成されることになる。しかし、上述したように、この応答時間ｒｔを所定時間により考慮することにより、未完成の画像が照射されて観察者に認識されるのを抑制することができる。したがって、右眼用画像と左眼用画像を鮮明に観察者に認識させることができる。
【００６４】
また、右眼用光源３３を、右眼用画像のブランク期間ＶＢＬＡＮＫの終了時点ｔ５で消灯させ、また、右眼用光源３７を、仕切り位置ｄｐに相当する位置に左眼用画像が出力された時点ｔ７で消灯させるので、右眼用画像に続いて出力されてくる左眼用画像が観察者に認識されるのを防止することができる。また、左眼用光源３５を、左眼用画像のブランク期間ＶＢＬＡＮＫの終了時点ｔ１０で消灯させ、左眼用光源３９を、仕切り位置ｄｐに相当する位置に右眼用画像が出力された時点ｔ１２で消灯させるので、左眼用画像に続いて出力されてくる右眼用画像が観察者に認識されるのを防止することができる。したがって、右眼用画像を右眼用光源３３，３７で好適に照射させることができ、左眼用画像を左眼用光源３５，３９で好適に照射させることができ、右眼用画像と左眼用画像が同時に観察者に認識されるのを抑制できる。
【００６５】
＜制御例３＞
次に、図８を参照して、上記の制御例１，２とは異なる制御例について詳細に説明する。なお、図８は、画像の間に黒帯を出力する場合における光源ユニットの制御例３を示し、画像の遷移と光源の切り換えタイミングを示すタイムチャートである。
【００６６】
ここでは、画像信号出力部６５が右眼用画像と左眼用画像との境界に「黒帯」を挿入する場合の制御例について説明する。
【００６７】
光源制御部６７は、右眼用画像の前にある黒帯の始端が仕切り位置ｄｐに達した時点ｔ３から応答時間ｒｔだけ遅れたｔ５時点で右眼用光源３３を点灯させ、右眼用画像の後にある黒帯の終端が画面最上部に達するｔ９時点までに右眼用光源３３を消灯させる。この例では、ｔ９時点で消灯させている。
【００６８】
また、光源制御部６７は、右眼用画像の前にある黒帯の始端が透過型の液晶表示パネル５の下端に達した時点ｔ５から応答時間ｒｔだけ遅れた時点ｔ８で右眼用光源３７を点灯させ、右眼用画像の後にある黒帯の終端が仕切り位置ｄｐに達する時点ｔ１１までに右眼用光源３７を消灯させる。この例では、ｔ１１時点で消灯させている。
【００６９】
次に、光源制御部６７は、左眼用画像の前にある黒帯の始端が仕切り位置ｄｐに達した時点ｔ１０から応答時間ｒｔだけ遅れた時点ｔ１２で左眼用光源３５を点灯させ、左眼用画像の後にある黒帯の終端が画面最上部に達するｔ１６時点までに左眼用光源３５を消灯させる。この例では、ｔ１６時点で左眼用光源を消灯させている。
【００７０】
また、左眼用画像の前にある黒帯の始端が透過型の液晶表示パネル５の下端に達した時点１２から応答時間ｒｔだけ遅れた時点ｔ１５で左眼用光源３９を点灯させ、左眼用画像の後にある黒帯の終端が仕切り位置ｄｐに達する時点ｔ１８までに左眼用光源３９を消灯させる。この例では、ｔ１８時点で消灯させている。
【００７１】
この制御例３のように、画像信号出力部６５が右眼用画像と左眼用画像との間に黒帯を挿入する場合には、黒帯の始端が仕切り位置ｄｐに達した時点を基準にして上部の光源（右眼用光源３３または左眼用光源３５）を点灯させ、次の黒帯の終端が画面最上部に書き込み開始されるまでに上部の光源（右眼用光源３３または左眼用光源３５）を消灯させる。また、黒帯の始端が液晶表示パネル５の下端に達した時点を基準にして下部の光源（右眼用光源３７または左眼用光源３９）を点灯させ、次の黒帯の終端が仕切り位置ｄｐに達するまでに下部の光源（右眼用光源３７または左眼用光源３９）を消灯させる。したがって、少なくとも黒帯の幅分は早めに光源を点灯しても他方の画像に影響を与えることがないので、光源の点灯時間を稼ぐことができ、光源制御部６７が点灯制御を容易に行うことができる。
【００７２】
＜制御例４＞
次に、図９を参照して、制御例４について詳細に説明する。なお、図９は、光源ユニットの制御例４を示し、ＦＰ１が比較例を示し、ＦＰ２が制御例４を示すタイムチャートである。また、図１０は、クロストークの均一性の説明に供する模式図である。
【００７３】
制御例ＦＰ１は、上述した図７の制御例２と同様のタイミングで光源を制御している比較例である。但し、この液晶表示パネル５は、応答時間＝ｒｔ１であり、上述した図７における応答時間ｒｔとは、応答時間ｒｔ＜応答時間ｒｔ１の関係にあるとする。具体的には、例えば、図中に括弧書きした応答時間ｒｔが３ｍｓｅｃとすると、応答時間ｒｔ１はその２倍の６ｍｓｅｃである。このように液晶表示パネル５の応答時間ｒｔ１が遅い場合には、実際に画像の書き換えが完了するタイミングが映像信号ＶＤから極端に遅れるので、制御例ＦＰ１のようなタイミングで光源制御を行わせると、次のような問題が起き得る。
【００７４】
すなわち、図１０の模式図に示す仕切り位置ｄｐの上側Ｒ２及び液晶表示パネル５の下端Ｒ４において、右眼用画像と左眼用画像の混濁が大きくなり得るとともに、液晶表示パネル５の上端Ｒ１及び仕切り位置ｄｐの下側Ｒ３において、右眼用画像と左眼用画像の混濁が小さくなり得る。そのため、右眼用画像と左眼用画像の混濁が液晶表示パネル５で不均一になり、クロストーク分布が不均一になる問題が生じ得る。
【００７５】
このような場合には、制御例４であるＦＰ２に示すように光源制御を行うことが好ましい。なお、図９のＦＰ１において、符号ｆｔで示しているのは、透過型の液晶表示パネル５に求められる、画像観察に必要な最低限の輝度を得るために必要な点灯期間である。したがって、少なくとも一定期間ｆｔの点灯を維持すれば、所望の輝度で透過型の液晶表示パネル５に画像を表示させることができる。また、所定時間ｒｔ２は、基準としている時点から光源を点灯するまでの遅延時間にあたるものである。
【００７６】
光源制御部６７は、透過型の液晶表示パネル５に右眼用画像が出力され、右眼用画像が仕切り位置ｄｐに達した時点ｔ２から、応答時間ｒｔ１より短い所定時間ｒｔ２だけ遅れたｔ８時点で右眼用光源３３を点灯させ、一定期間ｆｔ２の経過後に右眼用光源３３を消灯させる。この例では、ｔ９時点で消灯させている。なお、右眼用光源３３をｔ２時点から、応答時間ｒｔ１より短い所定時間ｒｔ２だけ遅れて点灯させているのは、応答時間ｒｔ１が遅い場合には、ｔ２時点から応答時間ｒｔ１だけ遅れて右眼用光源３３を点灯させても、既にｔ７時点を過ぎているので、ｔ７時点で消灯させることができないからである。また、応答時間ｒｔ１が長くなり、ｔ７−（ｔ２＋ｒｔ１）が一定期間ｆｔ２より短い場合は、ｔ２時点から応答時間ｒｔ１だけ遅れて点灯させると、一定期間ｆｔ２を確保することができない。そこで、応答時間ｒｔ１より短い所定時間ｒｔ２だけｔ２時点から遅れて右眼用光源３３を点灯させ、点灯から一定期間ｆｔ２（≧ｆｔ）経過後に消灯させるようにしている。このようなタイミングとしているのは、以下の場合も同様の理由である。
【００７７】
なお、上記の一定期間ｆｔ２において、一定期間ｆｔ２の点灯期間の間に液晶表示パネル５の上端Ｒ１では左眼用画像の出力が開始されてしまい、仕切り位置ｄｐの上側Ｒ２では、右眼用画像について液晶セルが応答を完了しないうちに右眼用光源３３が点灯するので、液晶表示パネル５の上端Ｒ１と仕切り位置ｄｐの上側Ｒ２において画像の混濁が生じる。一定期間ｆｔ２が長いほど、この混濁を生じる期間が長くなるので、一定期間ｆｔ２は一定期間ｆｔに等しいことが好ましい。また、所定時間ｒｔ２については、液晶表示パネル５の上端Ｒ１と仕切り位置ｄｐの上側Ｒ２における画像の混濁が同程度になるように、所定時間ｒｔ２を実験的に決定する。なお、所定時間ｒｔ２は、透過型の液晶表示パネル５の応答特性のカーブ（液晶表示パネル５の種類や温度によっても変動する）によって適正値が異なるので、計算により応答時間ｒｔ２を例示することが困難である。
【００７８】
また、右眼用画像に続いて透過型の液晶表示パネル５に左眼用画像が出力され、右眼用画像のブランク期間ＶＢＬＡＮＫの開始時点ｔ６から所定時間ｒｔ２だけ遅れたｔ１２時点で右眼用光源３７を点灯させ、一定期間ｆｔ２の経過後に消灯させる。この例では、ｔ１３時点で消灯させている。
【００７９】
左眼用画像が仕切り位置ｄｐに達した時点ｔ１１から所定時間ｒｔ２だけ遅れて左眼用光源３５を点灯させ、一定期間ｆｔ２の経過後に左眼用光源３５を消灯させる。この例では、ｔ１７時点で消灯させている。
【００８０】
左眼用画像に続いて透過型の液晶表示パネル５に右眼用画像が出力され、左眼用画像のブランク期間ＶＢＬＡＮＫの開始時点ｔ１４から所定時間ｒｔ２だけ遅れて左眼用光源３９を点灯させ、一定期間ｆｔ２の経過後に左眼用光源３９を消灯させる。この例では、時点ｔ２０で消灯させている。
【００８１】
上述したように、所定時間ｒｔ２だけ遅れたタイミングで光源を点灯させ、一定時間ｆｔ２後に消灯させる制御を行わせると、液晶表示パネル５の上端Ｒ１及び仕切り位置ｄｐの下側Ｒ３では右眼用画像と左眼用画像の混濁が大きくなり得るが、仕切り位置ｄｐの上側Ｒ２及び液晶表示パネル５の下端Ｒ４では点灯までの時間を稼ぐことができるので、右眼用画像と左眼用画像の混濁が小さくなり得る。したがって、液晶表示パネル５の画面全体における混濁が平均化されて観察されるので、観察者から見た混濁を均一にできる。そのため、クロストーク分布を均一にすることができる。
【００８２】
＜第１の変形例＞
上述した実施例装置は、反射ユニット１７の光路空間２７が材料で満たされず空気だけであったが、例えば、反射ユニット１７が次のように構成されていてもよい。ここで、図１１を参照する。なお、図１１は反射ユニットの第１の変形例を示す横断面図である。
【００８３】
この立体画像表示装置１Ａは、反射ユニット１７Ａを構成している楕円ミラー１５Ａの光路空間２７Ａが導光体７１で構成されている。導光体７１は、光を透過する材料であればどのような材料でもよいが、例えば、アクリル樹脂が挙げられる。なお、導光体７１の仕切り位置ｄｐには、仕切りミラー２８が設けられている。
【００８４】
このような第１の変形例の構成によると、反射面１９が空気に触れることなく反射率の経時劣化を抑制できる。
【００８５】
なお、上述した反射ユニット１７Ａは、図１２のように構成するのが好ましい。なお、図１２は、反射ユニットの好適な構成例を示す分解斜視図である。
【００８６】
反射ユニット１７Ａは、上部導光体７３と、下部導光体７５とを備えている。上部導光体７３と下部導光体７５は、図１に示した仕切り位置ｄｐに相当する高さを有する別個のブロック体である。上部導光体７３の下面または（及び）下部導光体７５の上面には、仕切りミラー２８Ａが被着されている。また、上部導光体７３と下部導光体７５の楕円形状の側面側（図１２の右方向背面側）には、反射面１９Ａ，１９Ｂが被着されている。仕切りミラー２８Ａ、反射面１９Ａ，１９Ｂは、上部導光体７３と下部導光体７５にどのような方法で被着されてもよいが、例えば、蒸着によって被着させる。
【００８７】
＜第２の変形例＞
上述した実施例装置及び第１の変形例は、反射ユニット１７（１７Ａ）が一般的な楕円ミラー１５，１５Ａで構成されていたが、楕円ミラーを次のように構成してもよい。ここで図１３を参照する。なお、図１３は、反射ユニットの第２の変形例を示す横断面図である。
【００８８】
この立体画像表示装置１Ｂの反射ユニット１７Ｂが備える楕円ミラー１５Ｂは、楕円ミラー１５，１５Ａの反射面１９を分解した多数の反射面１９（フレネル型の反射面）を有するフレネル型の反射ミラーで構成されている点が上述した構成とは異なる。このように、楕円ミラー１５，１５Ａと同じ一方の焦点ｆ１と他方の焦点ｆ２でありながら、フレネル型の反射面１９で楕円ミラー１５Ｂを構成しているので、装置の横幅だけでなく、装置の奥行きをも短縮することができ、より一層の小型化を図ることができる。
【００８９】
なお、反射ユニット１７Ｂであっても、上述した第１の変形例のように、光路空間２７Ｂを導光体（７１Ｂ）で構成してもよい。
【００９０】
本発明は、上記実施形態に限られることはなく、下記のように変形実施することができる。
【００９１】
（１）上述した各実施例及び変形例では、第１の画像及び第２の画像として、両眼視差のある右眼用画像及び左眼用画像を挙げているが、例えば、第１の画像と第２の画像とを全く異なる画像としてもよい。これにより、上述した観察者の右眼ＥＲの位置を含む観察者の右側の範囲と、観察者の左眼ＥＬの位置を含む観察者の左側の範囲において、異なる複数の観察者がそれぞれ異なる画像を同時に観察することができる、いわゆる「デュアルビュー」の画像表示装置を実現することができる。
【００９２】
（２）上述した各実施例及び変形例では、透過型の液晶表示パネル５の背面に拡散部材１１を備えているが、例えば、楕円ミラー１５と上側反射板２３及び下側反射板２５の接合部付近に存在する横方向の境目などが透過型の液晶表示パネル５に影響を与えない場合には、拡散部材１１を備える必要はない。
【００９３】
（３）上述した各実施例及び変形例では、上部光源ユニット２９と下部光源ユニット３１にそれぞれ拡散部材４５を備えているが、上部光源ユニット２９と下部光源ユニット３１の発光形状が透過型の液晶表示パネル５に影響を与えない場合には拡散部材４５を備える必要はない。
【００９４】
（４）上述した実施例では、光源の制御例１〜４を例示したが、これらは仕切り位置ｄｐが楕円ミラー１５の高さの１／２である場合である。したがって、仕切り位置ｄｐが上述した例と異なる場合には、仕切り位置ｄｐに応じて点灯消灯のタイミングをずらせばよい。
【００９５】
（５）上述した実施例では、透過型の表示パネルとして透過型の液晶表示パネル５を例に採って説明したが、本発明はこれに限定されるものではなく、透過型の表示パネルであれば本発明を適用することができる。例えば、透過型の液晶表示パネル５に代えて透過型のMEMS（microelectro mechanical systems）を採用してもよい。
【符号の説明】
【００９６】
１，１Ａ，１Ｂ  …  立体画像表示装置
３  …  筐体
５  …  透過型の液晶表示パネル
１５，１５Ａ，１５Ｂ  …  楕円ミラー
１７，１７Ａ，１７Ｂ  …  反射ユニット
１９  …  反射面
２１  …  楕円
ｆ１  …  一方の焦点
ｆ２  …  他方の焦点
２８  …  仕切りミラー
Ｌｍ  …  楕円ミラーの高さ
ｄｐ  …  仕切り位置
ＶＢＬＡＮＫ  …  ブランク期間
ｒｔ  …  応答時間
２９  …  上部光源ユニット
３１  …  下部光源ユニット
３３，３７  …  右眼用光源
３５，３９  …  左眼用光源
４１  …  上部遮光部材
４３  …  下部遮光部材
６３  …  制御部
６５  …  画像信号出力部
６７  …  光源制御部
【図１】
2011022541.tif 000003
【図２】
2011022541.tif 000004
【図３】
2011022541.tif 000005
【図４】
2011022541.tif 000006
【図５】
2011022541.tif 000007
【図６】
2011022541.tif 000008
【図７】
2011022541.tif 000009
【図８】
2011022541.tif 000010
【図９】
2011022541.tif 000011
【図１０】
2011022541.tif 000012
【図１１】
2011022541.tif 000013
【図１２】
2011022541.tif 000014
【図１３】
2011022541.tif 000015